(57)【要約】【課題】継ぎ部材の変形が抑制され、フレーム部材の被係止部が山部から外れ難い折板屋根連結具及び折板屋根構造を提供する。【解決手段】一対のフレーム部材２は、第１折板屋根５において谷部５１を介して隣り合う山部５０上にそれぞれ配置される。継ぎ部材４は、一対のフレーム部材２を連結する。フレーム部材２は、谷部５１に配置されて対応する山部５０に係止可能な被係止部２０を備える。一対のフレーム部材２が並ぶ方向を第１方向とすると共に、平面視において第１方向と直交する方向を第２方向とする。継ぎ部材４は、横片部４０と、縦片部４１と、規制片部４２とを備える。縦片部４１は、横片部４０から下方に突出し、第２方向に対して直交する板状に形成されている。規制片部４２は、縦片部４１の第１方向における端部から突出し、第１方向と直交する板状に形成されて、被係止部２０に対向する。【選択図】図１
2018145729.tif 000002
【特許請求の範囲】
【請求項１】
第１折板屋根とこの第１折板屋根の上方に配置される第２折板屋根とを連結する折板屋根連結具であって、
前記第１折板屋根において谷部を介して隣り合う山部上にそれぞれ配置される一対のフレーム部材と、
前記一対のフレーム部材を連結する継ぎ部材とを備え、
前記一対のフレーム部材の各々は、
前記谷部に配置されて対応する前記山部に係止可能な被係止部と、
前記被係止部に繋がり、前記第２折板屋根を固定可能な固定部とを備え、
前記一対のフレーム部材が並ぶ方向を第１方向とすると共に、平面視において前記第１方向と直交する方向を第２方向とし、
前記継ぎ部材は、
前記一対のフレーム部材の間に配置され、前記第１方向における両端部が、前記一対のフレーム部材にそれぞれ連結可能な横片部と、
前記横片部から下方に突出し、前記第２方向に対して直交する板状の縦片部と、
前記縦片部の前記第１方向における端部から突出し、前記第１方向と直交する板状に形成されて、前記被係止部に対向する規制片部とを備えたことを特徴とする折板屋根連結具。
【請求項２】
前記固定部は、
前記対応する山部とは反対側に向かって突出し、切り起こしにより形成された連結片部を備え、
前記固定部に、前記連結片部の上方に位置し、前記切り起こしによって形成された貫通孔が形成されており、
前記横片部は、前記連結片部の上面に沿って配置された状態で前記連結片部に連結可能であり、
前記継ぎ部材は、
前記横片部の前記第２方向における両端部から下方に向かって突出した一対の前記縦片部を備え、
前記継ぎ部材は、
前記一対の縦片部の各々の前記第１方向における端部から、前記第２方向において互いに離れる方向にそれぞれ突出した一対の前記規制片部を備えたことを特徴とする請求項１に記載の折板屋根連結具。
【請求項３】
第１折板屋根と、
前記第１折板屋根の上方に配置された第２折板屋根と、
前記第１折板屋根と前記第２折板屋根とを連結した折板屋根連結具とを備え、
前記折板屋根連結具は、
前記第１折板屋根において谷部を介して隣り合う山部上にそれぞれ配置された一対のフレーム部材と、
前記一対のフレーム部材を連結した継ぎ部材とを備え、
前記一対のフレーム部材の各々は、
前記谷部に配置されて対応する前記山部に係止された被係止部と、
前記被係止部に繋がり、前記第２折板屋根が固定された固定部とを備え、
前記一対のフレーム部材が並ぶ方向を第１方向とすると共に、平面視において前記第１方向と直交する方向を第２方向とし、
前記継ぎ部材は、
前記一対のフレーム部材の間に配置され、前記第１方向における両端部が、前記一対のフレーム部材にそれぞれ連結された横片部と、
前記横片部から下方に突出し、前記第２方向に対して直交する板状の縦片部と、
前記縦片部の前記第１方向における端部から突出し、前記第１方向と直交する板状に形成されて、前記被係止部に対向した規制片部とを備えたことを特徴とする折板屋根構造。
【発明の詳細な説明】
【技術分野】
【０００１】
本発明は、折板屋根連結具及び折板屋根構造に関し、詳しくは、二重折板屋根における上下の折板屋根を連結する折板屋根連結具及びこれを備えた折板屋根構造に関する。
【背景技術】
【０００２】
特許文献１には、二重折板屋根において上下に対向配置された下折板及び上折板を連結する折板屋根連結具が開示されている。この折板屋根連結具は、下折板の山部を跨いで配置されるフレーム部材と、下折板の隣り合う山部に配置されたフレーム部材を連結する継ぎ部材とを備えている。フレーム部材は、断面逆Ｕ字状の本体部と、本体部の両方の下端に設けられた係止脚部とを備えている。フレーム部材は、両係止脚部を下折板の山部に係止することで当該山部に取り付けられる。継ぎ部材は、断面略コ字状に形成されており、金属板を折り曲げ加工することで形成されている。隣り合うフレーム部材は、継ぎ部材で連結される。上折板は本体部に係止されて当該本体部に取り付けられる。
【先行技術文献】
【特許文献】
【０００３】
【特許文献１】特開２０１０−２４８８０７号公報
【発明の概要】
【発明が解決しようとする課題】
【０００４】
前記断面略コ字状の継ぎ部材の端面は、フレーム部材の係止脚部に対向配置される。このため、例えば、負圧により上折板に上向きの力が加わる等して、フレーム部材の両係止脚部が開くように変形するときには、継ぎ部材によって係止脚部が下折板の山部から離れる方向に移動することが規制され、これにより、係止脚部の山部に対する係止が外れることが抑制される。しかし、この場合、係止脚部は断面略コ字状の継ぎ部材の面積の狭い端面に接触するので、係止脚部から継ぎ部材に対して力が加わったときに、継ぎ部材において大きな応力が生じ、継ぎ部材が変形したり、この変形に伴って係止脚部の山部に対する係止が外れたりすることが懸念される。
【０００５】
本発明は前記事情に鑑みてなされたものであって、継ぎ部材の変形が抑制され、フレーム部材の被係止部が山部から外れ難い折板屋根連結具及び折板屋根構造を提供することを目的とする。
【課題を解決するための手段】
【０００６】
前記目的を達成するために本発明に係る一態様の折板屋根連結具は、第１折板屋根とこの第１折板屋根の上方に配置される第２折板屋根とを連結する折板屋根連結具であって、以下の特徴を有する。折板屋根連結具は、一対のフレーム部材と、継ぎ部材とを備える。前記一対のフレーム部材は、前記第１折板屋根において谷部を介して隣り合う山部上にそれぞれ配置される。前記継ぎ部材は、前記一対のフレーム部材を連結する。前記一対のフレーム部材の各々は、被係止部と、固定部とを備える。前記被係止部は、前記谷部に配置されて対応する前記山部に係止可能である。前記固定部は、前記被係止部に繋がり、前記第２折板屋根を固定可能である。前記一対のフレーム部材が並ぶ方向を第１方向とすると共に、平面視において前記第１方向と直交する方向を第２方向とする。前記継ぎ部材は、横片部と、縦片部と、規制片部とを備える。前記横片部は、前記一対のフレーム部材の間に配置され、前記第１方向における両端部が、前記一対のフレーム部材にそれぞれ連結可能である。前記縦片部は、前記横片部から下方に突出し、前記第２方向に対して直交する板状である。前記規制片部は、前記縦片部の前記第１方向における端部から突出し、前記第１方向と直交する板状に形成されて、前記被係止部に対向する。
【０００７】
また、本発明に係る一態様の折板屋根構造は、第１折板屋根と、前記第１折板屋根の上方に配置された第２折板屋根と、前記第１折板屋根と前記第２折板屋根とを連結した折板屋根連結具とを備える。前記折板屋根連結具は、一対のフレーム部材と、継ぎ部材とを備える。前記一対のフレーム部材は、前記第１折板屋根において谷部を介して隣り合う山部上にそれぞれ配置される。前記継ぎ部材は、前記一対のフレーム部材を連結する。前記一対のフレーム部材の各々は、被係止部と、固定部とを備える。前記被係止部は、前記谷部に配置されて対応する前記山部に係止される。前記固定部は、前記被係止部に繋がり、前記第２折板屋根が固定される。前記一対のフレーム部材が並ぶ方向を第１方向とすると共に、平面視において前記第１方向と直交する方向を第２方向とする。前記継ぎ部材は、横片部と、縦片部と、規制片部とを備える。前記横片部は、前記一対のフレーム部材の間に配置され、前記第１方向における両端部が、前記一対のフレーム部材にそれぞれ連結される。前記縦片部は、前記横片部から下方に突出し、前記第２方向に対して直交する板状である。前記規制片部は、前記縦片部の前記第１方向における端部から突出し、前記第１方向と直交する板状に形成されて、前記被係止部に対向する。
【発明の効果】
【０００８】
本発明に係る一態様の折板屋根連結具及び折板屋根構造は、継ぎ部材の変形が抑制され、フレーム部材の被係止部が山部から外れ難い。
【図面の簡単な説明】
【０００９】
【図１】図１は、本発明に係る一実施形態の折板屋根構造の断面図である。
【図２】図２は、同上の折板屋根構造の折板の斜視図である。
【図３】図３は、同上の折板屋根構造における第１折板屋根が屋根下地に取り付けられた状態を示した断面図である。
【図４】図４は、同上の折板屋根構造のタイトフレームの斜視図である。
【図５】図５は、同上の折板屋根構造のフレーム部材の斜視図である。
【図６】図６は、同上の折板屋根構造の折板屋根連結具の斜視図である。
【図７】図７Ａは、同上の折板屋根連結具の継ぎ部材を隣り合うフレーム部材に取り付ける様子を示した断面図であり、図７Ｂは図７ＡのＡ部拡大図である。
【発明を実施するための形態】
【００１０】
以下、本発明に係る折板屋根連結具及び折板屋根構造の実施形態について説明する。
【００１１】
本実施形態の折板屋根連結具１は、図１に示す二重折板屋根における上下の折板屋根５，７を連結するために用いられる。以下、必要に応じて、二重折板屋根の上下の折板屋根５，７のうち、下側の折板屋根５を第１折板屋根５といい、第１折板屋根５の上方に配置される上側の折板屋根７を第２折板屋根７という。
【００１２】
（折板屋根）
各折板屋根５，７は、一方向に並んだ複数の山部５０，７０を備えている。各折板屋根５，７において隣り合う山部５０，７０の間には、谷部５１，７１が形成されている。すなわち、各折板屋根５，７には、山部５０，７０と谷部５１，７１とが交互に形成されている。
【００１３】
各折板屋根５，７の山部５０，７０は、平面視において複数の山部５０，７０が並ぶ方向と直交する方向に延びている。各折板屋根５，７は、山部５０，７０の長手方向が、屋根の傾斜方向（流れ方向）と平行になるように設置される。
【００１４】
以下、第１折板屋根５の複数の山部５０が並ぶ方向を第１方向といい、第１折板屋根５の山部５０の長手方向を第２方向という。
【００１５】
各折板屋根５，７は、第１方向に並んだ複数の折板５２，７２で構成されている。本実施形態では、第１折板屋根５及び第２折板屋根７の各々の折板５２，７２として、共通の折板が用いられる。このため、以下では、第１折板屋根５の折板５２について詳細に説明し、第２折板屋根７の折板７２において折板５２と共通する構成については同一の符号を付して説明を省略する。
【００１６】
図２に示す折板５２は、第２方向に延びた長尺な部材であり、金属板を曲げ加工することで形成される。この金属板は、例えば、鉄板、鋼板、亜鉛めっき鋼板、塗装板、又は、ガルバリウム鋼板（登録商標）、エスジーエル（登録商標）鋼板などである。折板５２は、長手方向に直交する断面形状が、長手方向の全長に亘って一様である。
【００１７】
本実施形態の折板５２の長手方向と直交する断面形状は、上方に開口したＵ字状であり、第２方向に延びた底部５３と、底部５３の第１方向の両端部からそれぞれ立ち上がった一対の山部半体５４，５５とを備えている。以下、必要に応じて、一対の山部半体５４，５５のうちの一方の山部半体５４を第１山部半体５４といい、他方の山部半体５５を第２山部半体５５という。
【００１８】
第１山部半体５４は、底部５３の第１方向における一端部から、外側（底部５３とは反対側）の斜め上方に向かって突出した側壁部５６と、側壁部５６の上端部から第１方向に沿って外側に向かって突出した頂部５７と、頂部５７の側壁部５６とは反対側の端部から上方に突出した逆Ｌ字状の嵌合部５８とを備えている。
【００１９】
第２山部半体５５は、底部５３の第１山部半体５４とは反対側の端部から、外側の斜め上方に向かって突出した側壁部５９と、側壁部５９の上端部から第１方向に沿って外側に向かって突出した頂部６０と、頂部６０の側壁部５９とは反対側の端部から上方に向かって突出した断面逆Ｕ字状の被嵌合部６１とを備えている。
【００２０】
各山部半体５４，５５の側壁部５６，５９には、上下方向に間隔をあけて複数の被係合部６２が形成されている。
【００２１】
被係合部６２は、各側壁部５６，５９において裏面側（底部５３とは反対側）に向かって突出するように断面く字状に屈曲した部分である。被係合部６２は、下端に近い部分ほど外側に位置するように傾斜した上片部６３と、上片部６３の外側の端部に繋がって下端に近い部分ほど内側に位置するように傾斜した下片部６４とを備えている。
【００２２】
被係合部６２は、例えば、側壁部５６，５９の一部を段状に曲げ加工することで形成される。本実施形態では、各山部半体５４，５５の側壁部５６，５９に、上下２段の被係合部６２が形成されている。
【００２３】
（屋根下地）
本実施形態の第１折板屋根５は、図３に示すようにタイトフレーム８を介して屋根下地に取り付けられる。本実施形態の屋根下地は、第２方向に複数並べて設けられた複数の横架材９である。横架材９は第１方向に延びている。横架材９は例えばＨ型鋼からなる母屋である。
【００２４】
（タイトフレーム）
横架材９にはタイトフレーム８が固定される。タイトフレーム８は、例えば、１つの金属製帯板材、又は横架材９の長手方向に並んだ複数の金属製帯板材で構成される。
【００２５】
本実施形態のタイトフレーム８は、山部８０と底部８１とが第１方向において交互に形成されたタイトフレームであり、複数の山部８０と、これら複数の山部８０を繋いだ複数の底部８１とを備えている。
【００２６】
底部８１は、横架材９に載置され、例えば溶接又はボルト止めによって横架材９に対して固定される。
【００２７】
図４に示すように、タイトフレーム８の両側の側片部８２の各々には、上下方向に間隔をあけて並んだ複数の係合部８４が形成されている。各側片部８２は、第１折板屋根５の対応する側壁部５６，５９に形成された被係合部６２（図２参照）と同数の係合部８４を備えている。係合部８４は、側片部８２の表面側に向かって突出している。係合部８４は、例えば側片部８２の一部を切り起こして形成される。
【００２８】
図３に示す第１折板屋根５の各折板５２は、複数の横架材９に固定された複数のタイトフレーム８に取り付けられ、これにより、複数の横架材９に亘って設置される。
【００２９】
本実施形態の第１折板屋根５の折板５２は、タイトフレーム８の隣り合う山部８０の間に配置され、各山部半体５４，５５の複数の被係合部６２が、タイトフレーム８の対応する係合部８４の先端にそれぞれ係合される。これにより、第１折板屋根５の折板５２は、複数のタイトフレーム８に取り付けられる。
【００３０】
第１折板屋根５の隣り合う折板５２は、一方の折板５２の被嵌合部６１（図２参照）が他方の折板５２の嵌合部５８に上から嵌め込まれ、この後、被嵌合部６１と嵌合部５８とをハゼ締めにより結合することで、連結される。第１折板屋根５の山部５０は、隣り合う折板５２のうちの一方の折板５２の第１山部半体５４と他方の折板５２の第２山部半体５５とで構成される。第１折板屋根５の谷部５１は、折板５２の底部５３と、この底部５３の幅方向の両端部から上方に突出した側壁部５６，５９とで構成される。
【００３１】
（折板屋根連結具）
図１に示すように、第１折板屋根５の上面には、折板屋根連結具１が取付けられる。図示は省略するが、本実施形態の折板屋根連結具１は、第１折板屋根５において第２方向に複数並べて設けられる。折板屋根連結具１は、例えば、平面視でタイトフレーム８と重なる位置に設けられる。
【００３２】
折板屋根連結具１は、第１折板屋根５において隣り合う山部５０上にそれぞれ配置される一対のフレーム部材２と、これら一対のフレーム部材２を連結する継ぎ部材４とを少なくとも備えている。本実施形態の各折板屋根連結具１は、複数のフレーム部材２と、複数の継ぎ部材４とを備えている。
【００３３】
（フレーム部材）
複数のフレーム部材２は、第１方向に並べて設けられる。すなわち、複数のフレーム部材２の並設方向は、第１方向である。
【００３４】
本実施形態のフレーム部材２は、第２方向に見て下方に開口した逆Ｕ字状に形成されている。
【００３５】
本実施形態のフレーム部材２は、一枚の帯状の金属板を曲げ加工等することで形成されている。この金属板は、例えば、鉄板、鋼板、亜鉛めっき鋼板、塗装板、又は、ガルバリウム鋼板（登録商標）、エスジーエル（登録商標）鋼板などである。
【００３６】
本実施形態のフレーム部材２は、第１折板屋根５の山部５０の両側にそれぞれ係止される一対の被係止部２０と、これら一対の被係止部２０に繋がり、第２折板屋根７が固定される固定部２１とを備えている。図５に示すように、一対の被係止部２０は、逆Ｕ字状のフレーム部材２の第１方向における両側の下端部にそれぞれ形成されており、第１方向に離間している。
【００３７】
本実施形態の被係止部２０は、第２方向と直交する断面形状がく字状であり、上下方向の中間部が内側に向かって突出するように屈曲している。各被係止部２０は、第２方向に見て、第１方向と略平行な被係止片部２２と、被係止片部２２の内側端部から外側斜め下方に突出した沿片部２３とを備えている。沿片部２３の先端（外側端）は自由端となっている。
【００３８】
フレーム部材２は、図７Ａに示すように、第１折板屋根５の山部５０に被さるように配置され、各被係止部２０が対応する被係合部６２に係止されることで、山部５０に取り付けられる。すなわち、本実施形態では、第１折板屋根５の被係合部６２が、被係止部２０が係止される係止部を構成している。なお、本実施形態において被係止部２０が係止される被係合部６２は、第１折板屋根５の側壁部５６，５９に形成された上下の被係合部６２のうちの下の被係合部６２である。
【００３９】
本実施形態の折板屋根連結具１は、図５に示すように、フレーム部材２及び第１折板屋根５よりも熱伝導性の低い複数の断熱体１０をさらに備えている。複数の断熱体１０は、フレーム部材２の一対の被係止部２０にそれぞれ取り付けられている。本実施形態の断熱体１０は、被係止部２０の内側の面に沿うように第２方向と直交する断面形状がく字状に形成されており、被係止片部２２から沿片部２３にまで亘っている。
【００４０】
断熱体１０は、金属よりも熱伝導性が低い材料から形成される。断熱体１０としては、例えば、ナイロン樹脂、又はＡＢＳ樹脂により成形されたプラスチック成形品、ゴム成形品、あるいはゴム製のテープが用いられる。断熱体１０は、例えば嵌合、接着又はかしめにより、被係止部２０に取り付けられる。
【００４１】
図７Ｂに示すように、本実施形態の被係止部２０は、断熱体１０を介して被係合部６２に係止される。このため、フレーム部材２と第１折板屋根５との間で熱が伝わり難くなり、ひいては第１折板屋根５と第２折板屋根７とのヒートブリッジが抑制されて二重折板屋根の断熱性能が向上する。
【００４２】
本実施形態の被係止部２０は、被係止片部２２が断熱体１０を介して被係合部６２の上片部６３の下面に引っ掛けられて上方への移動が規制され、沿片部２３が断熱体１０を介して被係合部６２の下片部６４に沿って配置されて内側への移動が規制される。
【００４３】
図７Ａに示すように、被係止部２０が係合部２９に係止された状態において、沿片部２３の先端と、第１折板屋根５の底部５３との間に隙間２４が形成される。隙間２４は、沿片部２３が山部５０に沿って下方に移動するためのスペースとして利用される。すなわち、作業者は、山部５０に取り付けられたフレーム部材２を図７Ａの矢印ａに示す方向に押すことで、一方の被係止部２０を被係合部６２に係止したまま、他方の被係止部２０を山部５０の外側の面に沿って下方にスライドすることができ、これにより、フレーム部材２を簡単に傾けることができる。
【００４４】
本実施形態の一対の被係止部２０は、固定部２１を介して繋がっている。本実施形態の固定部２１は、第２方向に見て下方に開口した逆Ｕ字状に形成されており、第１折板屋根５の山部５０の上方に配置される。
【００４５】
図５に示すように、固定部２１は、第１方向に離間して配置された一対の脚片部２５と、一対の脚片部２５の上端部同士を繋いだ頂片部２６とを備えている。
【００４６】
脚片部２５は、頂片部２６から外側斜め下方に向かって突出した傾斜板部２７と、傾斜板部２７の下端部から下方に向かって突出した縦板部２８とを備えている。
【００４７】
固定部２１の第１方向の両側の下端部は、一対の縦板部２８によってそれぞれ構成されている。被係止部２０の被係止片部２２は、縦板部２８の下端部から内側に向かって突出している。
【００４８】
傾斜板部２７には、上下方向に間隔をあけて複数の係合部２９が形成されている。係合部２９は、傾斜板部２７の表面側に向かって突出しており、例えば傾斜板部２７の一部を切り起こして形成される。
【００４９】
固定部２１は、継ぎ部材４が固着される連結部３０を備えている。本実施形態の固定部２１は、一対の縦板部２８にそれぞれ形成された一対の連結部３０を備えている。
【００５０】
本実施形態の各連結部３０は、縦板部２８から第１方向に沿って外側に突出した連結片部３１と、連結片部３１から上方に突出したねじ軸３２とを備えている。
【００５１】
連結片部３１は、厚み方向が上下方向と平行であり、平面視矩形の板状に形成されている。本実施形態の連結片部３１は、縦板部２８の一部を切り起こすことで形成される。
【００５２】
連結片部３１には、ねじ軸３２の下端部が接続されており、ねじ軸３２は連結片部３１から上方に突出している。
【００５３】
縦板部２８には、第１方向に貫通した矩形状の貫通孔３３が形成されている。貫通孔３３は、連結片部３１を形成するにあたって縦板部２８の一部を切り起こすことで形成された孔であり、連結片部３１の上方に位置している。連結片部３１は貫通孔３３の下縁部から外側に向かって突出している。
【００５４】
（継ぎ部材）
図１に示すように、第１折板屋根５において山部５０に取り付けられたフレーム部材２は、継ぎ部材４を介して隣の山部５０に取り付けられたフレーム部材２に連結される。継ぎ部材４は、一枚の金属板を曲げ加工等することで形成されている。この金属板は、例えば、鉄板、鋼板、亜鉛めっき鋼板、塗装板、又は、ガルバリウム鋼板（登録商標）、エスジーエル（登録商標）鋼板などである。
【００５５】
図６に示すように、継ぎ部材４は、横片部４０と、縦片部４１と、規制片部４２とを備えている。図１に示すように、横片部４０は、隣り合うフレーム部材２の間に配置され、第１方向における両端部が一対のフレーム部材２にそれぞれ連結可能である。縦片部４１は、横片部４０から下方に突出しており、第１方向に延びた板状に形成されている。規制片部４２は、縦片部４１から第２方向に沿って突出しており、第１方向に対して直交した板状に形成されている。
【００５６】
図６に示すように、横片部４０は、厚み方向が上下方向と平行で第１方向に延びた矩形板状に形成されている。横片部４０の第２方向の両端部には、下方に向かって突出した縦片部４１が形成されている。すなわち、本実施形態の継ぎ部材４は、一対の縦片部４１を備えている。
【００５７】
縦片部４１は、厚み方向が第２方向と平行で第１方向に延びた板状に形成されている。縦片部４１は横片部４０の第１方向における全長に亘っており、一対の縦片部４１と横片部４０とで、継ぎ部材４の主部４３が構成されている。主部４３は、第１方向に延びており、第１方向と直交する断面形状が、下方に開口したコ字状である。断面コ字状の主部４３の内側には、フレーム部材２の連結片部３１が配置され、横片部４０における第１方向の両端部の各々は、対応するフレーム部材２の連結片部３１に載置される。
【００５８】
各縦片部４１の第１方向の両端部には、規制片部４２がそれぞれ設けられている。すなわち、本実施形態の継ぎ部材４は、主部４３の第１方向の両端部の各々に、一対ずつ規制片部４２が設けられており、計二対の規制片部４２を備えている。
【００５９】
本実施形態の規制片部４２は、縦片部４１の第１方向の端部から他方の縦片部４１とは反対側に向かって突出している。すなわち、対を成す規制片部４２は、一対の縦片部４１から第２方向に沿ってそれぞれ互いに離れる方向に突出している。
【００６０】
規制片部４２は、図６に示すように、フレーム部材２の縦板部２８の外側の面に沿って配置される。この状態において、規制片部４２は、縦板部２８よりも下方に突出し、縦板部２８の下方に位置する被係止部２０に対向する。このため、フレーム部材２の被係止部２０が、外側（山部５０と反対側）に移動しようとしたときには、この移動が規制片部４２によって規制される。従って、被係止部２０は係合部２９から外れ難くなる。
【００６１】
本実施形態の規制片部４２の下端部は、被係止部２０の沿片部２３の先端部（下端部）と同じ高さに配置され、当該先端部に対向する。このため、例えば第２折板屋根７の上方において負圧が発生してフレーム部材２に上向きの力が加わり、係合部６２に係合された被係止部２０が縦板部２８との接続部分を支点にして外側に回転しようとした場合には、沿片部２３の先端部が外側に移動することが、規制片部４２によって規制される。このため、被係止部２０は被係合部６２から一層外れ難くなる。
【００６２】
ここで、被係止部２０の外側への移動が規制片部４２によって規制される場合、被係止部２０は、第１方向と直交する板状の規制片部４２において、面積の大きい板面によって受けられて、規制片部４２には大きな応力が生じ難くなる。特に被係止部２０が縦板部２８との接続部分を支点にして外側に回転しようとした場合には、沿片部２３の先端部は、規制片部４２に対して線接触する。このため、例えば規制片部４２を省略した継ぎ部材において沿片部２３の先端部が縦片部４１に点接触する場合と比較して、継ぎ部材４は変形し難くなる。
【００６３】
横片部４０の第１方向の両端部の各々には、上下方向に貫通した挿通孔４４が形成されている。横片部４０の各挿通孔４４には、対応するフレーム部材２のねじ軸３２が挿通される。各挿通孔４４に挿通されたねじ軸３２は、横片部４０の上方に突出し、この突出部部分には、ナット１１が螺合される。横片部４０の第１方向の両端部の各々は、対応する連結片部３１とナット１１とで上下に挟まれる。これにより、横片部４０の第１方向の両端部の各々は、対応する連結片部３１に連結され、隣り合うフレーム部材２が継ぎ部材４を介して連結される。
【００６４】
（第２折板屋根）
図１に示すように、本実施形態の第２折板屋根７は、第１折板屋根５の上方に断熱材１００を介して配置される。第２折板屋根７の折板７２は、隣り合うフレーム部材２の間に配置される。第２折板屋根７の折板７２は、各山部半体５４，５５の複数の被係合部６２が、対応するフレーム部材２の複数の係合部２９の先端にそれぞれ係合することで、折板屋根連結具１に取り付けられる。
【００６５】
第２折板屋根７の隣り合う折板７２は、一方の折板７２の被嵌合部６１が他方の折板７２の嵌合部５８に上から嵌め込まれ、この後、被嵌合部６１と嵌合部５８とをハゼ締めにより結合することで、連結される。
【００６６】
（施工）
本実施形態の折板屋根構造は、例えば以下に示す施工により形成される。
【００６７】
まず、作業者は、第１折板屋根５の各折板５２を、複数の横架材９に固定された複数のタイトフレーム８に取り付ける。次に作業者は、第１折板屋根５の隣り合う折板５２同士を、ハゼ締めにより連結する。
【００６８】
次に、作業者は、第１折板屋根５に、複数の折板屋根連結具１を取り付ける。折板屋根連結具１を第１折板屋根５に取付ける場合、作業者は、各フレーム部材２を第１折板屋根５の対応する山部５０に取り付け、隣り合う山部５０にそれぞれ取り付けられたフレーム部材２同士を継ぎ部材４によって連結する。
【００６９】
隣り合うフレーム部材２同士を継ぎ部材４で連結する際、作業者は、まず、継ぎ部材４を隣り合うフレーム部材２の間に上方から挿入する。この挿入は、例えば、図７Ａに示すように、一方のフレーム部材２を他方のフレーム部材２とは反対側に押し込んで僅かに傾けて、隣り合うフレーム部材２の縦板部２８同士の間隔を僅かに広げた状態で行われる。
【００７０】
次に作業者は、継ぎ部材４を、隣り合うフレーム部材２の縦板部２８に沿わせながら下方に移動させる。これにより、継ぎ部材４の横片部４０の各挿通孔４４には、図６に示すように、対応するフレーム部材２のねじ軸３２が挿通され、また、横片部４０の第１方向の両端部の各々が、対応するフレーム部材２の連結片部３１に載置される。
【００７１】
ここで、仮に規制片部４２を省略した継ぎ部材が、上述のように隣り合うフレーム部材２の間に上方から挿入されると、縦片部４１が、縦板部２８の貫通孔３３に入って当該貫通孔３３の縁部に引っ掛かる可能性がある。このように縦片部４１が、貫通孔３３の縁部に引っ掛かると、作業者は、継ぎ部材４を隣り合うフレーム部材２の間に挿入し難くなる。
【００７２】
これに対して、本実施形態の継ぎ部材４にあっては、作業者は、継ぎ部材４を隣り合うフレーム部材２の間に上方から挿入する際に、各規制片部４２を、対応するフレーム部材２の縦板部２８の外側の面に沿ってスライドさせながら、継ぎ部材４を下方に移動することができる。この場合、第１方向と直交する面に沿って広がった各規制片部４２を、対応するフレーム部材２の縦板部２８の外側の面に沿ってスライドすることで、継ぎ部材４の縦片部４１が縦板部２８の貫通孔３３に入り難くなる。このため、継ぎ部材４が縦板部２８の貫通孔３３の縁部に引っ掛かり難くなり、継ぎ部材４を隣り合うフレーム部材２の間に簡単に挿入することができる。
【００７３】
作業者は、上記のように継ぎ部材４を隣り合うフレーム部材２の間に挿入した後、横片部４０の各挿通孔４４から上方に突出したねじ軸３２にナット１１を螺合し、横片部４０の第１方向の両端部の各々を、連結片部３１とナット１１とで上下に挟んでフレーム部材２に固着する。これにより、隣り合うフレーム部材２は継ぎ部材４を介して連結され、継ぎ部材４の各規制片部４２によって対応する被係合部６２が、第１折板屋根５の対応する山部５０から当該山部５０と反対側に移動することが規制される。
【００７４】
上記のように第１折板屋根５に、複数の折板屋根連結具１を取り付けた後、作業者は、図１に示すように、第２折板屋根７の各折板５２を、対応する折板屋根連結具１のフレーム部材２に取り付け、この後、第２折板屋根７における隣り合う折板５２同士を、ハゼ締めにより連結する。
【００７５】
（補足）
本実施形態の折板屋根連結具１及び折板屋根構造は、適宜設計変更可能である。
【００７６】
例えば、フレーム部材２の被係止部２０の形状は、変更可能である。例えば、被係止部２０における沿片部２３は、省略してもよい。また、本実施形態の被係止部２０は、第１折板屋根５の山部５０に対して断熱体１０を介して係止されるが、直接係止されてもよい。
【００７７】
また、本実施形態のフレーム部材２の連結片部３１は、切り起こしによって形成されているが、固定部２１に溶接したり、固着具を用いて連結等することで、固定部２１に設けられてもよい。
【００７８】
また、継ぎ部材４の連結部３０をフレーム部材２に固着する固着具は、ナット１１に限られない。例えば、フレーム部材２の連結部３０におけるねじ軸３２を省略し、横片部４０を、当該横片部４０と連結片部３１とに挿通されたボルトとこのボルトに螺合されるナットとで固着してもよい。この場合、ボルトとナットとが固着具となる。
【００７９】
また、本実施形態の継ぎ部材４の規制片部４２は、縦片部４１から他方の縦片部４１とは反対側に向かって突出しているが、他方の縦片部４１側に向かって突出してもよい。
【００８０】
また、継ぎ部材４の主部４３の形状も断面コ字状に限られず、例えば断面略ハット状であってもよい。また、主部４３は縦片部４１を一つだけ備えた断面略Ｌ字状又は断面略Ｔ字状に形成されてもよい。
【００８１】
また、第１折板屋根５の折板５２と第２折板屋根７の折板７２とは、異なる折板５２を用いてもよい。
【００８２】
（効果）
以上説明した本実施形態の折板屋根連結具１は、第１折板屋根５と第１折板屋根５の上方に配置される第２折板屋根７とを連結する折板屋根連結具１であって、以下の特徴を有する。折板屋根連結具１は、一対のフレーム部材２と、継ぎ部材４とを備える。一対のフレーム部材２は、第１折板屋根５において谷部５１を介して隣り合う山部５０上にそれぞれ配置される。継ぎ部材４は、一対のフレーム部材２を連結する。一対のフレーム部材２の各々は、被係止部２０と、固定部２１とを備える。被係止部２０は、谷部５１に配置されて対応する山部５０に係止可能である。固定部２１は、被係止部２０に繋がり、第２折板屋根７を固定可能である。一対のフレーム部材２が並ぶ方向を第１方向とすると共に、平面視において第１方向と直交する方向を第２方向とする。継ぎ部材４は、横片部４０と、縦片部４１と、規制片部４２とを備える。横片部４０は、一対のフレーム部材２の間に配置され、第１方向における両端部が、一対のフレーム部材２にそれぞれ連結可能である。縦片部４１は、横片部４０から下方に突出し、第１方向に延びた板状に形成されている。規制片部４２は、縦片部４１の第１方向における端部から突出し、第１方向と直交する板状に形成されて、被係止部２０に対向する。以下、この折板屋根連結具１を、第１の態様の折板屋根連結具１という。
【００８３】
第１の態様の折板屋根連結具１にあっては、被係止部２０に対向する規制片部４２により、被係止部２０が対応する山部５０とは反対側に向かって移動することを規制することができる。このため、山部５０に係止された被係止部２０が山部５０から外れることが抑制される。また、この場合、被係止部２０は、第１方向と直交する板状の規制片部４２において面積の大きい板面で受けられて、規制片部４２には大きな応力が生じ難くなる。従って、継ぎ部材４は変形し難くなり、また、これにより、フレーム部材２の被係止部２０が山部５０から外れ難くなる。
【００８４】
また、本実施形態の折板屋根連結具１は、第１の態様の折板屋根連結具１において以下に示す付加的な特徴を備えている。固定部２１は、対応する山部５０とは反対側に向かって突出し、切り起こしにより形成された連結片部３１を備える。固定部２１に、連結片部３１の上方に位置し、切り起こしによって形成された貫通孔３３が形成される。横片部４０は、連結片部３１の上面に沿って配置された状態で連結片部３１に固着可能である。継ぎ部材４は、横片部４０の第２方向における両端部から下方に向かって突出した一対の縦片部４１を備える。継ぎ部材４は、一対の縦片部４１の各々の第１方向における端部から、第２方向において互いに離れる方向にそれぞれ突出した一対の規制片部４２を備える。以下、この折板屋根連結具１を第２の態様の折板屋根連結具１という。
【００８５】
第２の態様の折板屋根連結具１にあっては、連結片部３１を切り起こしによって容易に形成することができる。また、作業者は、継ぎ部材４を隣り合うフレーム部材２の間に上方から挿入する場合、第１方向と直交する面に沿って広がった各規制片部４２を、フレーム部材２に沿ってスライドすることができる。このため、継ぎ部材４が縦板部２８の貫通孔３３の縁部に引っ掛かり難くなり、作業者は継ぎ部材４を隣り合うフレーム部材２の間に簡単に挿入することができる。
【００８６】
また、本実施形態の折板屋根構造は、以下に示す特徴を有している。第１折板屋根５と、第１折板屋根５の上方に配置された第２折板屋根７と、第１折板屋根５と第２折板屋根７とを連結した折板屋根連結具１とを備える。第１折板屋根５において谷部５１を介して隣り合う山部５０上にそれぞれ配置された一対のフレーム部材２と、一対のフレーム部材２を連結した継ぎ部材４とを備える。一対のフレーム部材２の各々は、被係止部２０と、固定部２１とを備える。被係止部２０は、谷部５１に配置されて対応する山部５０に係止される。固定部２１は、被係止部２０に繋がり、第２折板屋根７が固定される。一対のフレーム部材２が並ぶ方向を第１方向とすると共に、平面視において第１方向と直交する方向を第２方向とする。継ぎ部材４は、横片部４０と、縦片部４１と、規制片部４２とを備える。横片部４０は、一対のフレーム部材２の間に配置され、第１方向の両端部が、一対のフレーム部材２にそれぞれ連結される。縦片部４１は、横片部４０から下方に突出し、第１方向に延びた板状に形成される。規制片部４２は、縦片部４１の第１方向における端部から突出し、第１方向と直交する板状に形成されて、被係止部２０に対向する。以下、この特徴を有する折板屋根構造を第１の態様の折板屋根構造という。
【００８７】
第１の態様の折板屋根構造にあっては、被係止部２０に対向する規制片部４２により、被係止部２０が対応する山部５０とは反対側に向かって移動することを規制することができる。このため、山部５０に係止された被係止部２０が山部５０から外れることが抑制される。また、この場合、被係止部２０は、第１方向と直交する板状の規制片部４２において面積の大きい板面によって受けられる。このため、規制片部４２には大きな応力が生じ難くなる。従って、継ぎ部材４は変形し難くなり、また、これにより、フレーム部材２の被係止部２０が山部５０から外れ難くなる。
【符号の説明】
【００８８】
１  折板屋根連結具
２  フレーム部材
２０  被係止部
２１  固定部
３１  連結片部
３３  貫通孔
４  継ぎ部材
４０  横片部
４１  縦片部
４２  規制片部
５  第１折板屋根
５０  山部
５１  谷部
７  第２折板屋根
【図１】
2018145729.tif 000003
【図２】
2018145729.tif 000004
【図３】
2018145729.tif 000005
【図４】
2018145729.tif 000006
【図５】
2018145729.tif 000007
【図６】
2018145729.tif 000008
【図７】
2018145729.tif 000009